(57)【要約】一次局１００と二次局１１０とを有する無線通信システムにおいて、一次局は二次局に送信するための複数の送信方式のうちの１つを利用することができる。二次局は、ダウンリンクチャネル１２２に関連する品質パラメータを決定し、このパラメータから、測定報告を決定して一次局に送出する。この測定報告は、１つの送信方式について適切な送信電力を示しており、一次局は、送信方式の間の複数の電力オフセットから、複数の送信方式のそれぞれの送信電力を決定することができる。この電力オフセットは、二次局により一次局に送出される場合がある。かかる方式は、余分なシグナリングの必要なしに、広範囲の受信機の性能に対処するための十分な柔軟性を提供するものである。
2005507603.tif 000002
【特許請求の範囲】
【請求項１】
一次局と二次局との間に通信チャネルを有する無線通信システムであって、
該一次局は、該二次局に送信するための複数の送信方式のうちの１つを利用するための手段を有し、
該二次局は、ダウンリンクの通信チャネルに関連する品質パラメータを決定するための手段と、決定された品質パラメータに応じて、１つの送信方式に対応する送信電力を示す測定報告を該一次局に送出するための手段とを有し、
該一次局は、送信方式の間の複数の電力オフセットに依存して、複数の送信方式についてそれぞれの送信電力を該測定報告から決定するための手段を有する、
無線通信システム。
【請求項２】
該二次局は、該複数の電力オフセットを該一次局に送出するための手段をさらに有する、
ことを特徴とする請求項１記載の無線通信システム。
【請求項３】
該送信電力は、参照電力レベルを基準として示される、
ことを特徴とする請求項１記載の無線通信システム。
【請求項４】
一次局と二次局との間に通信チャネルを有する無線通信システムで使用される一次局であって、
該二次局に送信するための複数の送信方式のうちの１つを利用し、１つの送信方式に対応する送信電力を示す測定報告を該二次局から受信し、送信方式の間の複数の電力オフセットに依存して、複数の送信方式についてそれぞれの送信電力を該測定報告から決定するための手段が提供される、
一次局。
【請求項５】
一次局と二次局との間に通信チャネルを有する無線通信システムで使用される二次局であって、
ダウンリンク通信チャネルに関連する品質パラメータを決定するための手段と、決定された品質パラメータに応じて、１つの送信方式に対応する送信電力を示す測定報告を該一次局に送出するための手段と、送信方式の間の複数の電力オフセットを該一次局に送出して、該一次局が該複数の送信方式についてそれぞれの送信電力を該測定報告から決定可能にするための手段が提供される、
二次局。
【請求項６】
チャネルエラーの影響が最小化されるように、該測定報告をエンコードするための手段が提供される、
ことを特徴とする請求項５記載の二次局。
【請求項７】
該測定報告に関する少なくとも１つの最上位ビットを、少なくとも１つの最下位ビットに比べて優先的に保護するための手段が提供される、
ことを特徴とする請求項６記載の二次局。
【請求項８】
該一次局は、複数のアンテナを有しており、それぞれのアンテナに関連する品質パラメータを決定し、決定された品質パラメータに対応する測定報告を該一次局に送出するための手段が提供される、
ことを特徴とする請求項５乃至７のいずれか記載の二次局。
【請求項９】
該一次局は、複数のアンテナを備えており、ｎを少なくとも１であるとして、最良の品質パラメータを与えるｎ機のアンテナを決定し、それぞれが品質パラメータのそれぞれに対応するｎ個の測定報告を送出し、該ｎ機のアンテナの同一性に関する情報を送出するための手段が提供される、
ことを特徴とする請求項５乃至７のいずれか記載の二次局。
【請求項１０】
一次局と二次局との間に通信チャネルを有する無線通信システムを動作する方法であって、
該一次局で、該二次局に送信するための複数の送信方式のうちの１つを利用するステップと、
該二次局で、ダウンリンクの通信チャネルに関連する品質パラメータを決定し、決定された品質パラメータに応じて、１つの送信方式に対応する送信電力を示す測定報告を該一次局に送出するステップと、
該一次局で、送信方式の間の複数の電力オフセットに依存して、複数の送信方式についてそれぞれの送信電力を該測定報告から決定するステップと、
を有する方法。
【請求項１１】
チャネル品質が送信のために低過ぎることを示すため、所定の測定報告を使用するステップをさらに有する、
ことを特徴とする請求項１０記載の方法。
【請求項１２】
該送信電力は、参照値を基準として送出される、
ことを特徴とする請求項１０又は１１記載の方法。
【発明の詳細な説明】
【技術分野】
【０００１】
本発明は、無線通信システム、かかるシステムで使用される一次局及び二次局、並びにかかるシステムを動作する方法に関する。本明細書は、ＵＭＴＳ（Universal  Mobile  Telecommunication  System）を特に基準としたシステムを説明しているが、他の移動体無線システムにも同様にかかる技術を適用できることを理解されたい。
【背景技術】
【０００２】
一次局と二次局の間に双方向通信チャネルが存在する無線通信システムでは、二次局にとって、一次局から二次局へのダウンリンクチャネルの品質に基づいて該一次局に報告することが一般に要求される。かかる情報により、一次局は、たとえば、チャネル品質に適した変調方式を選択することで、ダウンリンクチャネルでの送信を最適化することができる。しかし、要求されるシグナリングには、あるオーバヘッドを負わせるので、このオーバヘッドを最小化することが望まれる。
【０００３】
簡単な公知の方式の例は、二次局が１以上のチャネルの品質パラメータを測定し、これらの品質パラメータを一次局に直接送り返す場合である。この品質パラメータは、たとえば、搬送波対干渉比（Ｃ／Ｉ）、信号対雑音費及び遅延プロファイルを含んでいることがある。次いで、一次局は、たとえば、利用される変調方式といったダウンリンクチャネルの適切なパラメータを選択する。
【発明の開示】
【発明が解決しようとする課題】
【０００４】
しかし、このアプローチの問題点は、最新の受信機を有している二次局が、旧式の受信機では許容されない誤り率を有することになるチャネル状態において、所与の変調方式と十分に動作するような、異なる二次局の間で受信機の性能が大幅に変化する場合がある点にある。
【０００５】
１つの提案されているＵＭＴＳの態様は、ＦＤＤ（Frequency  Division  Duplex）モードについて、指定されたブロック誤り率（ＢＬＥＲ）をダウンリンクの送信について達成することができる特定の送信方式及び送信電力を示すように二次局を調整することで、この問題に対処する方式を含んでいる。ＵＭＴＳでは、送信方式は、ＴＦＲＣ（Transport  Format  and  Resource  Combination）により定義され、このＴＦＲＣは、特定の変調方式、符号化方式、及びたとえば、１以上のチャネリゼーションコード（channelisation  code）といったリソースの割り当てを含んでいる。シグナリングを最小化するため、可能なＴＦＲＣ及び電力の組み合わせからなるテーブルが定義される。このテーブルは、連続的な報告の範囲を提供することが意図される。しかし、かかる配置は、様々な異なる受信機の実現に対処するために十分な柔軟性を有するものではない。
【課題を解決するための手段】
【０００６】
本発明の目的は、改善されたシグナリングメカニズムを提供することにある。
本発明の第一の態様によれば、一次局と二次局との間に通信チャネルを有する無線通信システムが提供される。該一次局は、該二次局に送信するための複数の送信方式のうちの１つを利用するための手段を有しており、該二次局は、ダウンリンクの通信チャネルに関連する品質パラメータを決定するための手段と、決定された品質パラメータに応じて、１つの送信方式に対応する送信電力を示す測定報告を該一次局に送出するための手段とを有しており、該一次局は、送信方式の間の複数の電力オフセットに依存して、複数の送信方式についてそれぞれの送信電力を該測定報告から決定するための手段を有している。
【０００７】
かかるシステムは、余分なシグナリングなしに、広範囲の受信機の性能に対処するために十分な柔軟性を有している。１つの実施の形態では、二次局により電力オフセットが一次局に送出される。別の実施の形態では、任意の送信のためのチャネル品質が低過ぎることを示すため、所定の測定報告が使用される。
【０００８】
本発明のある実施の形態では、一次局は、複数のアンテナを有している。１つの実施の形態では、二次局は、全てのアンテナから受信された信号に関連する品質パラメータを決定する。別の実施の形態では、二次局は、それぞれのアンテナに関連する個別の品質パラメータを決定し、それぞれのアンテナに関連する個別の測定報告を送出する。別の実施の形態では、二次局は、最良の信号が受信されたアンテナの品質パラメータを決定し、このアンテナの同一性に関する情報（identity）を送出する。
【０００９】
本発明の第二の態様によれば、一次局と二次局との間に通信チャネルを有する無線通信システムで使用される一次局が提供される。この場合、該二次局に送信するための複数の送信方式のうちの１つを利用し、１つの送信方式に対応する送信電力を示す測定報告を該二次局から受信し、送信方式の間の複数の電力オフセットに依存して、複数の送信方式についてそれぞれの送信電力を該測定報告から決定するための手段が提供される。
【００１０】
本発明の第三の態様によれば、一次局と二次局との間に通信チャネルを有する無線通信システムで使用される二次局が提供される。この場合、ダウンリンク通信チャネルに関連する品質パラメータを決定するための手段と、決定された品質パラメータに応じて、１つの送信方式に対応する送信電力を示す測定報告を該一次局に送出するための手段と、送信方式の間の複数の電力オフセットを該一次局に送出するための手段が提供される。これにより、該一次局は、該測定報告から該複数の送信方式のそれぞれの送信電力を決定することができる。
【００１１】
本発明の第四の態様によれば、一次局と二次局との間に通信チャネルを有する無線通信システムを動作する方法が提供される。この場合、該一次局で、該二次局に送信するための複数の送信方式のうちの１つを利用するステップと、該二次局で、ダウンリンクの通信チャネルに関連する品質パラメータを決定し、決定された品質パラメータに応じて、１つの送信方式に対応する送信電力を示す測定報告を該一次局に送出するステップと、該一次局で、送信方式の間の複数の電力オフセットに依存して、複数の送信方式についてそれぞれの送信電力を該測定報告から決定するステップとを有している。
【発明を実施するための最良の形態】
【００１２】
以下、添付図面を参照して、例示を介して本発明の実施の形態が記載される。
図１を参照して、無線通信システムは、一次局（ＢＳ）１００、及び複数の二次局（ＭＳ）１１０を有している。ＢＳ１００は、マイクロコントローラ（μＣ）１０２、アンテナ手段１０６に接続されるトランシーバ手段（Ｔｘ／Ｒｘ）１０４、送信電力レベルを変更するための電力制御手段（ＰＣ）１０７、及びＰＳＴＮ又は他の適切なネットワークに接続するための接続手段１０８を有している。それぞれのＭＳ１１０は、マイクロコントローラ（μＣ）１１２、アンテナ手段１１６に接続されるトランシーバ手段（Ｔｘ／Ｒｘ）１１４、及び送信電力レベルを変更するための電力制御手段（ＰＣ）１１８を有している。ＢＳ１００からＭＳ１１０への通信は、ダウンリンクチャネル１２２で行われ、ＭＳ１１０からＢＳ１００への通信は、アップリンクチャネル１２４で行われる。
【００１３】
先に説明されたように、ＭＳ１１０にとって、ダウンリンクチャネル１２２の品質に関してＢＳ１００に報告することが一般的に要求される。たとえば、ＵＭＴＳのＨＳＤＰＡ（High  Speed  Downlink  Packet  Access）方式では、ＢＳ１００は、変調方式、コードレート、及びチャネリゼーションコード数、並びに電力レベルからなる組み合わせを含む適切な送信方式（ＴＦＲＣ）を決定する。この選択は、ＭＳ１１０によりＢＳ１００に送出されるダウンリンクチャネル１２２の品質に関する測定値に依存して行われる。
【００１４】
１つの提案されているＵＭＴＳの実施の形態では、ＭＳ１１０は、パイロット信号の信号対雑音比（ＳＩＲ）を測定し、チャネル品質を示す値ＶをＢＳ１００に報告する５ビットを使用する。この値Ｖは、以下の表に対するインデックスとしての役割を果たす。この表は、推薦される送信方式及び電力レベルを示している。
【００１５】
【表１】
2005507603.tif 000003
この送出される値Ｖは、ＴＦＲＣと（所定の参照値を基準とした）電力オフセットＰとの組み合わせを示しており、この組み合わせにより、ダウンリンクでの送信用に使用される場合、特定のブロック誤り率（ＢＬＥＲ）を達成することができる。現在のところ、２８と３１の間の値Ｖが使用されていない。電力レベルは、（この例におけるように）特定の参照電力を基準として定義される場合がある。この特定の参照電力は、たとえば、ＨＳＤＰＡのダウンリンク送信用に利用可能な電力であるか、又は、利用可能なチャネリゼーションコード数で割った電力である。説明される実施の形態では、ＴＦＲＣ１は、最も低いビットレート及び最も簡単な変調方式を有しているのに対し、ＴＦＲＣ６は、最も高いビットレート及び最も複雑な変調方式を有している。したがって、ＴＦＲＣ１は、最もロバスト性が高く、最も効率の低い方式であって、粗悪なチャネル状態での使用に適しており、ＴＦＲＣ６は、最もロバスト性が低く、最も効率の高い方式であって、良好なチャネル状態での使用に適している。ＢＳ１００が測定報告を受信したとき、ＢＳ１００は、該報告を参照して、その後のダウンリンク送信のためのＴＦＲＣ及び送信電力を決定する。
【００１６】
図２は、ＭＳ１１０について期待される報告値Ｖに対する測定されたＳＩＲのグラフである。２つの特定のＴＦＲＣに対応する領域が示されており、報告値は、測定されたＳＩＲにつれて線形に増加している。このアプローチは、多数の利点を有している。ＭＳ１１０がＳＩＲ，ＴＦＲＣ、Ｐ及びＢＬＥＲ間の関係を判定するため、ＢＳ１００は、ＭＳ１１０の実現に関する詳細を知る必要がなく、この方式は、多かれ少なかれ複雑な受信機の実現を有している移動局に対処するに十分な柔軟性を有している。たとえば、ＭＳ１１０は、干渉波キャンセルのような最新の受信機の技術を使用することができ、標準的な受信機の実現と比較して、特定のＢＬＥＲを低減されたＳＩＲで達成することができる。先に示された表のような固定された表を有することで、ＭＳ１１０とＢＳ１００の間のシグナリングの要件が最小化される。
【００１７】
しかし、異なるＭＳの実現が異なる性能レベルを有する場合、固定された表により問題が生じる可能性があり、結果的には、チャネル品質、送信方式及び電力レベルの間での最適なマッピングにおける差が生じる。たとえば、マルチパス干渉の特性といったチャネル状態における変化は、異なるやり方で異なる実現に影響を与える可能性がある。図３は、図２に対応するＭＳの実現に対して異なる受信機の実現を有するＭＳ１１０について、報告値Ｖに対する測定されたＳＩＲのグラフである。ここでは、送信方式ＴＦＲＣ２とＴＦＲＣ３の間のＢＬＥＲにおける変化は、仮定された実現におけるものとは異なる。ここでは、対応する報告値が存在しない（破線で示されるような）ＳＩＲ値の範囲が存在している。
【００１８】
本発明に従って実現されるシステムでは、都合が良いことに最もロバスト性が高い唯一のＴＦＲＣについての測定報告の表を定義することで、この問題が克服される。したがって、先の表は、以下の表に変更される。
【００１９】
【表２】
2005507603.tif 000004
この表には、報告値Ｖに対応して（参照電力からのオフセットである）電力レベルが示されている。その後、同様の表が生成される。これらは、それぞれのＴＦＲＣについての表であって、それぞれの表は、第一の方式について表における電力レベルと、考慮される方式について表における電力レベルとの間での異なる電力オフセットを有している。電力オフセットのデフォルトのレベルを定義することができる。これらのオフセットの一部又は全部が特定のＭＳ１１０に適さない場合、そのＭＳは、（ＴＦＲＣ当たり１つの）異なる電力オフセットの組をネットワークに送出する。かかるシグナリングは、セットアップ動作として実行されるか、又は呼出しの間に必要に応じて実行される。追加のシグナリングの要件は、導入される余分の柔軟性と比較して比較的小さい。
【００２０】
表の使用に対する代替として、等価な式を利用することができる。たとえば、
Ｐ（ＴＦＲＣn）＝Ｐref−Ｖ×Ｍstep＋Ｐoff（ＴＦＲＣn）
である。ここで、Ｐ（ＴＦＲＣn）は、ｎ番目のＴＦＲＣを使用して、要求されるＢＬＥＲを達成するために必要とされる電力レベルである。Ｐrefは、参照電力レベルである。Ｖは、報告値（たとえば、先に示されたような５ビットの整数）である。Ｍstepは、報告値の間の電力ステップ（たとえば、先に使用されたような１ｄＢ）である。さらに、Ｐoff（ＴＦＲＣn）は、ｎ番目のＴＦＲＣ（ＴＦＲＣ1について便宜的にゼロ）を使用して、要求されるＢＬＥＲを達成するために必要とされる参照レベルからの電力オフセットである。
【００２１】
先の方式に関する多数の態様を特定の実施の形態に適合される。任意の送信についてチャネル品質が余りに低いことを示すため、たとえば、ゼロといった所定の報告値Ｖを予備に残しておくことができる。たとえば、報告について低レートの、より広いダイナミックレンジを有するチャネル品質の報告を可能にするため、測定値の間の異なる報告の間隔について、１以上のＰref、Ｍstep及びＰoffを異ならせることができる。また、Ｍstepは、一定である必要はないが、代わりに報告値Ｖの関数とすることができる。
【００２２】
都合の良いことに、典型的な誤りの場合、Ｖのデコードされた値が送信された値に近くなるように、チャネル誤りの影響を最小にするやり方で、あるブロックコードにおけるコードワードに報告値Ｖをマッピングすることができる。本出願人による米国特許第4,782,489号（出願人参照番号PHB33221）及び第5,233,349号（出願人参照番号PHB33693）で開示されるこの技術を適用することもできる。関連する技術として、報告値ＶのＭＳＢは、たとえば、繰り返しによりチャネル誤りに対して優先的に保護することができ、ＬＳＢを同様に符号化する必要がない。
【００２３】
本発明の更なる実施の形態では、ＢＳ１００が複数のアンテナ１０６を有しているケースに先の方式が適用される。かかる実施の形態では、（先の報告値Ｖのような）チャネル品質の測定値を導出して使用する様々なやり方が存在する。
【００２４】
第一の方式では、ＭＳ１１０により、全てのＢＳのアンテナ１０６から受信された（たとえば）組み合わされたＳＩＲの関数として、単一のチャネル品質のメトリクスが導出される。かかる方式では、同じ変調及び符号化方式（Modulation  and  Coding  Scheme）及び全てのアンテナからの送信のための電力レベルをＢＳ１００が使用することを仮定している。これは、ＭＳ１１０により受信されたとき、全体のＳＩＲに対する異なるアンテナの相対的な貢献に関して、ＢＳ１００が利用可能な情報がないためである。この方式は、単一のアンテナ方式を通して追加のシグナリングを必要としない。
【００２５】
第二の方式では、ＢＳ１００は、そのアンテナ１０６のそれぞれから、直交パイロットシーケンスを送信し、これにより、ＭＳ１１０は、それぞれのＢＳのアンテナから個別にＳＩＲを推定することができる。したがって、ＢＳ１００にとって利用可能とされるチャネルに関する有効な情報量が大幅に増加される。この方式に関する１つの実施の形態では、ＭＳ１１０は、ＢＳのアンテナ１０６のそれぞれについて、１つのチャネル品質のメトリクスをＢＳに送信する。明らかに、この実施の形態は、かなりのアップリンクのシグナリングを要求するものであり、ＢＳのアンテナ数に依存して容易に評価することはできない。しかし、ＢＳ１００での非常に良好な適合が可能であり、この場合、それぞれのアンテナ１０６の送信パラメータは、チャネル特性に個別に整合される。
【００２６】
ＵＭＴＳ  ＨＳＤＰＡに対応するかかる方式に関する実施の形態では、チャネル品質の情報を送出するために２つのフィールド（合計２０ビット）を利用可能であり、これらのフィールドは、受信されたパケットのポジティブ確認応答又はネガティブ確認応答用に設けられるフィールドの直後に位置される。たとえば、この方式で要求される送信がかかる実施の形態に適合される多数のやり方が存在する。
【００２７】
・（可能であれば複数のメトリクスを単一のフィールドに組み合わせて、）かかる目的のために利用可能な全ての送信フィールドにおいて、それぞれのアンテナ１０６についての品質のメトリクスを連続的に送信する。したがって、それぞれＢＳのアンテナに関連する情報が順番に連続して送信されて、連続した送信により、完全なチャネル品質の報告を構築することができる。余分なアップリンクの無線リソースの必要を回避する一方で、これにより、最初に送信された品質情報がＢＳ１００により使用されるまでに時代遅れとなる場合があるという問題が生じる。さらに、ダウンリンクの電力制御情報は、それぞれＢＳのアンテナ１０６の電力制御コマンドを個別に送出することなしに（これは、現在のところＵＭＴＳで行われていない）、時代遅れの品質情報を十分に訂正するために使用することができない。
【００２８】
・チャネル品質シグナリングフィールドの電力を増加して、同時により多くのメトリクスを送出するため、より短い最小の距離をもつコードワードを使用することができる。電力の増加が著しく、たとえば、４つのアンテナの場合、これらのフィールドについて送信電力において６ｄＢの増加が要求される。
【００２９】
・追加のチャネリゼーションコードは、追加の品質メトリクスフィールドについて使用される。しかし、この解決では、ＭＳ１１０の複雑さが増加するだけでなく、前の解決と同じアップリンクの電力増加が問題である。
【００３０】
したがって、一般に、複数の品質メトリクスの送信は、アップリンクのシグナリングの要件の観点で、許容できないほどに高価になる場合がある。しかし、アップリンクのシグナリングに関する高い要件を緩和する１つのやり方は、幾つかの参照チャネル品質の値を基準として、それぞれの個々のアンテナについて異なる品質メトリクスを送出することである。この参照チャネル品質の値は、全てのアンテナについて平均的なチャネル品質である。また、これにより、参照チャネル品質の値を更新するため、電力制御コマンドを使用することができる。これにより、この参照チャネル品質の値が更新されるレートを低減することができる。
【００３１】
第三の方式では、ＭＳ１１０は、単一のチャネル品質のメトリクスをＢＳ１００に送信し、このメトリクスは、ＭＳ１１０で見たときにＢＳのアンテナ１０６のうちで最良のアンテナに関連している。このメトリクスが関連するＢＳのアンテナ１０６は、周期的に変更される場合があり、したがって、どのアンテナにそのメトリクスが関連しているかをＢＳ１００に示すことも必要である。この方式に関する１つの実施の形態では、「アンテナＩＤ」が上位レイヤによりそれぞれのＢＳのアンテナ１０６に割り当てられ、ＭＳ１１０に送出される。この方式は、複数の品質メトリクスを送信する第二の方式よりも少ないアップリンクでのシグナリングを典型的に要求している。
【００３２】
ＢＳ１００は、多くのやり方でこの情報を使用することができる。データパケットを送信するため、ＢＳ１００がその全てのアンテナ１０６を使用し続ける場合、品質メトリクスは、ＭＣＳを選択するためになお使用される。これは、最良のアンテナのチャネル品質は、全体のチャネル品質に最も大きく寄与するためである。また、ＢＳ１００は、この最良のアンテナからのみ送信することを選択する。このことは、１つのアンテナ１０６からのＳＩＲが次に最良のアンテナにより寄与されるＳＩＲよりもかなり大きいチャネルにおいて特定の効果を有する。最良のアンテナのみを使用することで、ＭＳ１１０での粗悪なパスのみを有するアンテナでの送信電力の浪費が回避される。
【００３３】
この方式は、第一の方式よりも多くのアップリンクでのシグナリングを要求しているが、第二の方式よりもかなり少ない。これは、送出される必要がある唯一の追加の情報は、品質メトリクスが関連するＢＳのアンテナ１０６の同一性に関する情報であることによる。この方式への可能な拡張として、ＭＳ１１０は、全ての（少なくとも大部分の）アンテナの測定されたＳＩＲが十分に類似している場合、品質メトリクスが全てのＢＳのアンテナに関連することを合図する。アンテナの同一性に関する情報は、多数のやり方で送出される。
【００３４】
・品質メトリクスが関連するＢＳのアンテナ１０６の同一性に関する情報のシグナリングは、ＵＭＴＳ規格の現在のバージョンにおけるＳＳＤＴ（Site  Selection  Diversity  Transmission）の動作に類似している。ＳＳＤＴは、複数のＢＳ１００がＭＳ１１０のアクティブな設定にあるモードであるが、（全てのＢＳが制御情報を送信する一方で）これらＢＳのうちの１つのＢＳのみが、ユーザデータをＭＳに送信する。アンテナ情報を送出するための１つの方法は、より上位のレイヤのシグナリングを変更して、ＳＳＤＴの識別を単一のＢＳ１００の個々に同じ場所に位置されるアンテナに割り当てることができる。
【００３５】
この解決の問題として、以下の点が含まれる。従来のＳＳＤＴセルのＩＤを送出するための能力が制限される点。中間又は長いＳＳＤＴのＩＤが使用される場合、更新レートが遅過ぎる場合がある点。品質メトリクスが関連するアンテナのＩＤを送出するとき、従来のＳＳＤＴが同時に許容される場合には、短いＳＳＤＴのＩＤコードを使用することが難しい点。さらに、アンテナのＩＤを送出することが、ＨＳＤＰＡに関連する他の制御トラフィックから分離される点。
【００３６】
・アンテナＩＤのシグナリングを他のアップリンクでのＨＳＤＰＡのシグナリングと共に適合するため、アンテナＩＤは、確認応答フィールド又はチャネル品質フィールドのいずれかに符号化され、これにより、余分のアップリンクのフィールドの追加が回避される。アンテナＩＤを品質メトリクスと組み合わせることで、単一のコードワードは、チャネル品質フィールドで送信用に生成される。かかるシグナリングは、コードワードの間に追加のコードワードを挿入するやり方で、下位規格との適合するやり方で適合される。この追加のコードワードは、特に、単一のチャネル品質のメトリクスを送出するために使用される。それぞれのチャネル品質のレベルについて定義済みのコードワードを使用することが考えられる。これは、品質情報が全てのＢＳのアンテナに共に関連し、下位規格との適合性が保持されることを意味している。
【００３７】
・全ての利用可能なチャネル品質のフィールドが品質メトリクスの送信のために使用されない可能性がある。したがって、アンテナＩＤを送出するために、残りの使用されていないフィールドが使用される。しかし、アンテナＩＤの送信は、チャネル品質フィールド全体を必要としない可能性がある。この方法は、チャネル品質情報それ自身のシグナリングのタイミングを変更することを要求する。
【００３８】
チャネル品質のメトリクスが送信される電力レベルは、要求される信頼性のレベルを達成するために調節される場合がある。この電力レベルは、ＢＳ１００からＭＳ１１０に送出されるメッセージにより制御される。これにより、アップリンク専用の制御チャネルでパイロットビットを基準として電力レベルを指定することができ、又はチャネル品質のメトリクスの現在の電力レベルを基準として電力レベルを指定することができる。１つのＭＳ１１０の専用制御チャネルが１を超えるＢＳ１００とソフトハンドオーバにある場合、アップリンク専用の制御チャネルでの電力は、関与する全てのＢＳ１００について最適でない可能性がある。したがって、チャネル品質のメトリクスを送出するため、異なる電力レベル、好ましくはより高い電力レベルが使用される場合がある。この電力差は、固定することができ、又はＢＳ１００からのメッセージにより決定することもできる。チャネル品質のメトリクスの送信が特定のＢＳ１００に向けられるとき、その送信用の無線チャネルの品質を考慮するため、電力レベルがさらに変更される場合がある。たとえば、アクティブな設定により最良の無線リンクが使用されている場合、電力レベルはその他の方法よりも低い場合がある。
【００３９】
本発明の文脈で先に説明されたが、アンテナのシグナリングによる実施の形態は、本発明のシグナリング方式との使用に限定されるものではなく、チャネル品質の情報を送出するための他の方式の範囲に適用することができる。
【００４０】
先に説明されたようなＦＤＤシステムにおけるその適用だけでなく、本発明は、他のタイプの通信システムにおいて適用することができる。たとえば、本発明は、時分割複信（ＴＤＤ）システムで使用することができる。アップリンク及びダウンリンクが同じ搬送波周波数で異なるタイムスロットを使用する事実により、チャネル情報を送出するための必要を低減することができるが、異なるＭＳの実現を可能にする柔軟性は、有効な特徴のまま保たれる。
【００４１】
先に説明された実施の形態は、パケット伝送に関連している。しかし、回路がデータ伝送用（たとえば、音声用）にセットアップされるシステムに同じ原理を適用することもできる。
【００４２】
先の説明は、本発明に関連する様々な機能を実行するＢＳ１００に関連する。実際に、これらのタスクは、たとえば、「ノードＢ」におけるような、固定されたインフラストラクチャの様々な部分の機能である場合がある。このノードＢは、ＭＳ１１０と直接インタフェースする固定されたインフラストラクチャの一部であるか、又は無線ネットワークコントローラ（ＲＮＣ）における上位レベルにある。この明細書では、用語「基地局」又は「一次局」の使用は、本発明の実施の形態に含まれるネットワークに固定されるインフラストラクチャの一部を含むものと理解される。
【００４３】
本発明の開示を読むことを通して、当業者には、他の変更が明らかである。かかる変更は、無線通信システム及びその構成要素の設計、製造及び使用において既に知られている他の機能を含んでいる場合があり、この他の機能は、本実施の形態で説明された機能に代えて、又は該機能に加えて使用される場合がある。
【００４４】
本明細書及び特許請求の範囲において、構成要素に先行する単語“ａ”“ａｎ”は、複数のかかる構成要素の存在を排除するものではない。さらに、単語「有する（comprising）」は、請求項に列挙された他の構成要素又はステップの存在を排除するものではない。
【図面の簡単な説明】
【００４５】
【図１】無線通信システムのブロック図である。
【図２】良好に設計された報告値の組について、報告値（Ｖ）に対する信号対雑音比（ＳＩＲ）を示す図である。
【図３】特定の二次局の実現について、報告値（Ｖ）に対する信号対雑音比（ＳＩＲ）を示す図である。
【国際公開パンフレット】
2005507603.tif 000005
2005507603.tif 000006
2005507603.tif 000007
2005507603.tif 000008
2005507603.tif 000009
2005507603.tif 000010
2005507603.tif 000011
2005507603.tif 000012
2005507603.tif 000013
2005507603.tif 000014
2005507603.tif 000015
2005507603.tif 000016
2005507603.tif 000017
2005507603.tif 000018
2005507603.tif 000019
2005507603.tif 000020
2005507603.tif 000021
2005507603.tif 000022
2005507603.tif 000023
2005507603.tif 000024
【国際公開パンフレット（コレクトバージョン）】
2005507603.tif 000025
2005507603.tif 000026
【国際調査報告】
2005507603.tif 000027
2005507603.tif 000028